(57)【要約】      （修正有）【課題】水道水からトルマリン等の鉱石によるマイナスイオン水と活性炭による濾過水とを得る水改質器を提供する。【解決手段】この水改質器１００は、第一本体容器１の内部に活性炭を封入した第一改質部１０１および粉砕したトルマリン原石を第二本体容器２の内部に封入した第二改質部１０２からなる濾過部と、水道から供給される水を前記第一改質部１０１又は第二改質部１０２に供給する切換部３とを備える。切換部３は、第一改質部１０１、第二改質部１０２それぞれ単独で使用できるように切換可能であり、かつ、第一改質部１０１及び第二改質部１０２を直列接続して併用するように切換可能である。トルマリン原石は、第二本体容器２内に粉砕された状態で封入される。粉砕したトルマリン原石に水を通すことでマイナスイオン化の効率が上がり、第一改質部１０１及び第二改質部１０２を直列接続することで活性炭との併用が可能となる。【選択図】図２
0003186275.tif 000002
【実用新案登録請求の範囲】
【請求項１】
第一本体容器の内部に活性炭のフィルターを設けた第一改質部と、
トルマリンその他の鉱石を第二本体容器の内部に封入した第二改質部と、
前記第一改質部に接続した第一水通路及び第二改質部に接続した第二水通路にそれぞれ接続され、前記第一水通路と第二水通路とを切り換えて水道から供給される水を前記第一改質部又は第二改質部に供給する切換部と、
を有することを特徴とする水改質器。
【請求項２】
第一改質部を通った水を第二改質部に導く第三水通路を有し、前記切換部は、第三水通路の開閉を切り換え可能とすることを特徴とする請求項１に記載の水改質器。
【請求項３】
前記トルマリン等の鉱石は、筐体内部の水の通過部分に不織布を設けた濾過器内に詰められていることを特徴とする請求項１又は２に記載の水改質器。
【考案の詳細な説明】
【技術分野】
【０００１】
本考案は、水道水からトルマリン等の鉱石によるマイナスイオン水と活性炭による濾過水とを得る水改質器に関するものである。
【背景技術】
【０００２】
従来から、特許文献１に記載されているような浄水器が知られている。この浄水器は、粉状、粒状又は繊維状の活性炭を中空円筒状に成形固化したろ過材の外周囲に不織布を設け、水道水をろ過材の周囲から中心に流し、中空円筒から濾過水を導出させる構造である。前記不織布には、トルマリンを含有させ得る。
【先行技術文献】
【特許文献】
【０００３】
【特許文献１】特願２００７−１６９１４６
【考案の概要】
【考案が解決しようとする課題】
【０００４】
この浄水器は、不織布にトルマリンを含有させている程度であるため、トルマリンによるマイナスイオン水化が十分に行われないという問題点がある。また、活性炭の外周にトルマリンを含有させた不織布を設けているため、水道水は必ずトルマリンと活性炭を通過することになる。このため、トルマリンによるマイナスイオン水と活性炭による濾過水とをそれぞれ別に使うことができないという問題点がある。この考案は、係る問題点を解決するためになされたものである。
【課題を解決するための手段】
【０００５】
この考案に係る水改質器は、第一本体容器の内部に活性炭のフィルターを設けた第一改質部と、トルマリンその他の鉱石を第二本体容器の内部に封入した第二改質部と、前記第一改質部に接続した第一水通路及び第二改質部に接続した第二水通路にそれぞれ接続され、前記第一水通路と第二水通路とを切り換えて水道から供給される水を前記第一改質部又は第二改質部に供給する切換部とを有することを特徴とする。
【０００６】
また、この考案に係る水改質器は、上記考案において、第一改質部を通った水を第二改質部に導く第三水通路を有し、前記切換部は、第三水通路の開閉を切り換え可能とすることを特徴とする。
【０００７】
また、この考案に係る水改質器は、上記考案において、前記トルマリン等の鉱石は、筐体内部の水の通過部分に不織布を設けた濾過器内に詰められていることを特徴とする。
【図面の簡単な説明】
【０００８】
【図１】この考案の実施の形態に係る水改質器を示す構成図である。
【図２】図１に示した水改質器を示す構成図である。
【図３】第一改質部の内部構造を示す説明図である。
【図４】第一改質部及び第二改質部の構造を示す説明図である。
【図５】この水改質器の動作を示す説明図である。
【考案を実施するための形態】
【０００９】
図１は、この考案の実施の形態に係る水改質器を示す構成図である。図２は、図１に示した水改質器を示す構成図である。この水改質器１００は、第一本体容器１の内部に活性炭のフィルターを設けた第一改質部１０１およびトルマリンその他の鉱石を第二本体容器２の内部に封入した第二改質部１０２からなる濾過部１０３と、水道から供給される水を前記第一改質部１０１又は第二改質部１０２に供給する切換部３とを備えている。蛇口Jとは、切換部３の筐体において接続される。
【００１０】
切換部３は、前記第一改質部１０１に接続した第一水通路４及び第二改質部１０２に接続した第二水通路５にそれぞれ接続され、前記第一水通路４と第二水通路５とを切り換え可能である。
【００１１】
図３は、第一改質部及び第二改質部の内部構造を示す説明図である。図４は、第一改質部及び第二改質部の構造を示す説明図である（第一改質部及び第二改質部の構造は共通のため第二改質部の構成要素は括弧で参照符号を付す）。この第一改質部１０１は、箱状の第一本体容器１の内部に筒状の筐体１０を配置した構造である。筐体１０の中央には、導管１６が設けられている。筐体１０の側面１０ａ及び導管１６の周側面１６ａには、不織布１７が貼り付けられている。この筐体１０の内部には、微細に粉砕された活性炭１１が入れられている。導管１６の周側面には、水の通過部分としての多数の微細な穴が設けられる。また、筐体１０の側面１０ａにも水の通過部分としての多数の微細な穴が設けられている。活性炭１１は、粉砕された状態で平均粒径が側面１０ａの穴径、導管１６に設けた穴の径よりも大きいものとする。また、前記不織布１７により、活性炭１１の微粒子が前記穴から流れ出るのを防止する。不織布には、例えば、アラミド繊維、ガラス繊維、セルロース繊維、ナイロン繊維、ポリエステル繊維、ポリオレフィン繊維などを用いる。
【００１２】
筐体１０は、上面板１０ｃ及び下面板１０ｄにより内部に活性炭１１を封入する。第一本体容器１の底部１３には、第一水通路４に接続された筒状の導入口１４が設けられている。また、第一本体容器１の側面１ａには、排出口１５が設けられている。
【００１３】
濾過器１２では、筒状の筐体１０を箱状の第一本体容器１に挿入し、その導管１６の下端が底部１３の導入口１４に差し込まれて連結する。第一本体容器１の内側面と濾過器１２との間には、濾過された水が通るのに十分な空間を確保する。排出口１５からは排出水路が導出している。
【００１４】
活性炭１１としては、木、竹、椰子殻、胡桃殻などの植物のもの、石炭質のもの、石油質のものを用いることができる。
【００１５】
この第二改質部１０２は、箱状の第二本体容器２の内部に筒状の筐体２０を配置した構造である。筐体２０の中央には、導管２６が設けられている。筐体２０の側面２０ａ及び導管２６の周側面２６ａには、不織布２７が貼り付けられている。この筐体２０の内部には、微細に粉砕されたトルマリン原石２１が入れられている。導管２６の周側面には、水の通過部分としての多数の微細な穴が設けられる。また、筐体２０の側面２０ａにも水の通過部分としての多数の微細な穴が設けられている。トルマリン原石２１は、粉砕された状態で平均粒径が側面２２ａの穴径、導管２６に設けた穴の径よりも大きいものとする。また、前記不織布２７により、トルマリン原石２１の微粒子が前記穴から流れ出るのを防止する。不織布には、例えば、アラミド繊維、ガラス繊維、セルロース繊維、ナイロン繊維、ポリエステル繊維、ポリオレフィン繊維などを用いる。
【００１６】
筐体２０は、上面及び下面により内部にトルマリン原石２１を封入する。第二本体容器２の底部２３には、第一水通路４に接続された筒状の導入口２４が設けられている。また、第二本体容器２の側面２ａには、排出口２５が設けられている。
【００１７】
濾過器２２では、筒状の筐体２０を箱状の第二本体容器２に挿入し、その導管２６の下端が底部２３の導入口２４に差し込まれて連結される。第二本体容器２の内側面と濾過器２２との間には、濾過された水が通るのに十分な空間を確保する。排出口２５からは排出水路が導出している。
【００１８】
また、上記トルマリン原石２１の他、トルマリン石類、トルマリンセラミック類、貴陽石類、貴陽石セラミック類、ホルンフェルス類、ホルンフェルスセラミックス類、備長炭類、備長炭セラミック類、麦飯石類、麦飯石セラミック類、竹炭類、竹炭セラミック類、医王石類、医王石セラミック類、エレン石、エレンセラミックス類、宝石セラミックス類、ゲルマニウム鉱石、ゲルマニウム鉱石セラミック類、ブラックシリカ(黒鉛珪石)類、ブラックシリカ(黒鉛珪石)セラミック類、酸化チタン類、酸化チタンセラミック類、ホタテ貝殻類、ホタテ貝殻セラミックボール類、マイナスイオンセラミックボール類、ラジウム鉱石類、ラジウム鉱石セラミック類、北投石類、北投石セラミックス類、ブラックラジウム鉱石類、ブラックラジウムセラミック鉱石類、パナジウム鉱石類、パナジウム鉱石セラミック類、黒曜石類、黒曜石セラミック類、サンゴ化石類、サンゴ化石セラミック類、黒煙ケイ石類、黒煙ケイ石セラミック類、聖石類、聖石セラミック類、天寿石類、天寿石セラミック類、セレン鉱石類、セレン鉱石セラミック類、金鉱石類、金鉱石セラミック類、真玉石類、真玉石セラミック類、貴宝石類、貴宝石セラミック類、知恵貴石類、知恵貴石セラミック、天然鉱石ゼオライト類、天然鉱石ゼオライトセラミック類、遠赤外線セラミックス類、マイナスイオン有機ゲルマニウムボール類、マイナスイオンセラミックボール類、小野鉱石類、小野鉱石セラミックス類、スーパー遠赤セラミックボール類、水素セラミックボール類、セラミクスチップ類、アパタイト鉱石類、アパタイト鉱石セラミックボール類、ＰＩＰチタンボール類、ＰＩＰチタンボールセラミック類、松鉱石類、松鉱石セラミック類、天然鉱石ブラックシリカ、天然鉱石ブラックシリカセラミック類、溶岩マリモ、溶岩マリモセラミック類、トリウム鉱石、トリウム功績セラミック類、多英石、多英石セラミック類、バドガシュタイン鉱石、バドガシュタイン鉱石セラミック類、天然鉱石
ガーネット末フロー石、天然鉱石 ガーネット末フロー石セラミック類、ホルミシス鉱石、ホルミシス鉱石セラミック類、レアース鉱石、レアース鉱石セラミック類、ブラックシリカ(神黒石)、ブラックシリカ(神黒石)セラミック類、リシア電気石類、リシアセラミック電気石類、タウマリン鉱石類、タウマリンセラミック鉱石類、フォイト電気石類、フォイトセラミック電気石類、リチア電気石類、リチアセラミック電気石類、鉄電気石類、鉄セラミック電気石類、天照石類、天照石セラミック類、角閃石類、角閃石セラミック類、翠石類、翠石セラミック類の鉱石を用いることができる。
【００１９】
切換部３は、筐体３０の内部に切換弁３１を有する。切換弁３１は、第一改質部１０１に接続される第一水通路４、第二改質部１０２に接続される第二水通路５、第一改質部１０１の排出口１５に接続した排出通路１８、第二改質部１０２の排出口２５に接続した排出通路２８、水道管からの原水通路４０、濾過水吐出通路５０、原水吐出通路５１、に接続されこれらの間で接続切換えを行う。排出通路２８は、濾過水吐出通路５０に連結している。当該切換弁３１の構造は、かかる切換え構造を備えたものであれば、どのような構造でも良い。切換部３は、例えば、ソレノイド弁の可動部に接続し且つ前記筐体３０の外側に設けたレバー３２を回転することにより切換弁３１を切り換える構造とすることができる。
【００２０】
図５は、この水改質器の動作を示す説明図である。原水を吐出する場合、図５（ａ）に示すように、切換部３の切換弁３１を回転させて原水通路４０と、原水吐出通路５１とを接続する（経路Ａ）。これにより、水道水がそのまま原水吐出通路５１を通り吐出される。
【００２１】
活性炭濾過水を吐出する場合、図５（ｂ）に示すように、切換部３の切換弁３１を回転させて原水通路４０と、第一水通路４とを接続する（経路Ｂ）。また、第一改質部１０１の排出通路１８と濾過水吐出通路５０とを接続する（経路Ｃ）。これにより水道水は、第一改質部１０１に導入されて活性炭１１により濾過され、この活性炭１１で濾過された水が濾過水吐出通路５０を通って吐出される。
【００２２】
トルマリン濾過水を吐出する場合、図５（ｃ）に示すように、切換部３の切換弁３１を回転させて原水通路４０と、第二水通路５とを接続する（経路Ｄ）。また、第二改質部１０２の排出通路２８は濾過水吐出通路５０に接続されている。これにより水道水は、第二改質部１０２に導入されてトルマリン原石２１により濾過され、このトルマリン原石２１でマイナスイオン化された水が濾過水吐出通路５０を通って吐出される。
【００２３】
活性炭１１とトルマリン原石２１の混合濾過水を吐出する場合、図５（ｄ）に示すように、切換部３の切換弁３１を回転させて原水通路４０と、第一水通路４とを接続する（経路Ｅ）。また、第一改質部１０１の排出通路１８と第二水通路５とを接続する（経路Ｆ）。また、第二改質部１０２の排出通路２８は濾過水吐出通路５０に接続されている。これにより水道水は、第一改質部１０１に導入されて活性炭１１により濾過され、この活性炭１１で濾過された水が更にトルマリン原石２１により濾過されてマイナスイン化され、濾過水吐出通路５０を通って吐出される。
【００２４】
以上、この水改質器１００によれば、第二改質部１０２におけるトルマリン原石２１による濾過によりマイナスイオン化した水を得ることができる。また、活性炭１１により濾過した水を得ることもでき、更に活性炭１１で浄化した水をマイナスイオン水に改質できる。換言すれば、マイナスイオン水、活性炭濾過水、原水を簡単に選択できると共に、活性炭濾過水をマイナスイオン水に簡単に変換できることになる。
【符号の説明】
【００２５】
１００  水改質器
１０１  第一改質部
１０２  第二改質部
１  第一本体容器
２  第二本体容器
３  切換部
４  第一水通路
５  第二水通路
１８  排出通路
２８  排出通路
４０  原水通路
５０  濾過水吐出通路
５１  原水吐出通路
【図１】
0003186275.tif 000003
【図２】
0003186275.tif 000004
【図３】
0003186275.tif 000005
【図４】
0003186275.tif 000006
【図５】
0003186275.tif 000007